(57)【要約】【課題】ユーザが歌唱中であるときは宣伝広告映像を表示せず、歌唱中でないときに宣伝広告映像を表示する表示制御を行う場合、非歌唱パートの再生期間と、広告映像の再生期間とは、通常異なる。そのため、非歌唱パートの再生期間が終了した時点では、広告映像の再生が継続しており、次の歌唱パートの再生のために、広告映像が突然停止されることがある。この結果、ユーザは、表示された広告映像の一部分からでは、まとまりのある広告内容を理解することができず、その広告効果は低くなる問題があった。【解決手段】楽曲と合わせて宣伝広告映像を表示するとき、ユーザが歌唱中でないときに、再生範囲が区画された宣伝広告映像の所定範囲を表示させる広告再生装置、広告再生プログラム、および広告再生システムを提供することを目的とする。【選択図】        図６（ａ）
2014197045.tif 000002
【特許請求の範囲】
【請求項１】
複数の再生範囲からなる広告映像の前記再生範囲の終点を示す再生範囲位置と、前記広告映像の終点を示す再生完了位置とのいずれかを、前記広告映像の停止位置として含む広告映像情報を記憶する広告記憶部と、
前記広告記憶部から広告映像情報を読み出して広告映像を再生させ、歌唱される歌唱パートと歌唱されない非歌唱パートとの各パートの位置が対応付けられた楽曲がカラオケ装置により再生されるときに、広告映像の再生の開始と、その再生の停止とを制御する広告制御部と、
を備え、
前記広告制御部は、再生される楽曲の中で非歌唱パートから歌唱パートへ切り替わる位置に最も近い停止位置で、広告映像の再生を停止する制御を行う
ことを特徴とする広告再生装置。
【請求項２】
前記楽曲が再生されている間に、楽曲の現在の再生位置が非歌唱パートから歌唱パートへ切り替わる位置に到達したことを示す情報を受け付ける受付部を備え、
前記広告制御部は、前記受付部により、再生されている楽曲の非歌唱パートから歌唱パートへ切り替わる位置に到達したことを示す情報が受け付けられたとき、再生される楽曲に合わせて再生されている広告映像を、前記切り替わる位置へ到達した以後の最も近い前記停止位置で停止する制御を行う
ことを特徴とする請求項１に記載の広告再生装置。
【請求項３】
カラオケ装置において予約された楽曲の楽曲情報を取得する取得部と、
前記取得部により取得された楽曲情報に従って楽曲が再生されるときに、再生される楽曲の前記非歌唱パートにおいて再生される広告映像を決定する広告決定部と、
前記取得された楽曲情報の楽曲が非歌唱パートから歌唱パートへ切り替わる位置に対応付けて、前記広告決定部により決定された広告映像の再生を停止させる停止位置を決定する停止決定部と、を備え、
前記広告制御部は、予約された楽曲が再生されるときに、前記広告決定部により決定された広告映像を、前記切り替わる位置に対応付けて前記停止決定部により決定された停止位置で停止する制御を行う
ことを特徴とする請求項１に記載の広告再生装置。
【請求項４】
前記取得部は、複数の非歌唱パートの各々の楽曲再生時間を含む前記楽曲情報を取得し、
前記広告記憶部は、複数の広告映像について、広告映像の再生開始から再生完了までの広告再生時間を含む前記広告映像情報を記憶し、
前記広告決定部は、前記取得部により取得された楽曲情報について、前記複数の非歌唱パートの各非歌唱パートの前記楽曲再生時間より短い前記広告再生時間の広告映像を再生すると決定する
ことを特徴とする請求項３に記載の広告再生装置。
【請求項５】
前記広告制御部は、楽曲の再生に合わせて再生される広告映像の、先の非歌唱パートから現在の歌唱パートへ切り替わる位置に最も近い前記停止位置が、広告映像の再生完了位置を示す停止位置であり、前記再生完了位置を示す停止位置は、前記切り替わる位置よりも前に位置するとき、現在の歌唱パートから次の非歌唱パートへ切り替わるまで、広告映像を前記再生完了位置を示す停止位置で停止する制御を行う
ことを特徴とする請求項１〜４のいずれかに記載の広告再生装置。
【請求項６】
前記広告制御部は、楽曲の再生に合わせて再生される動画の広告映像を、先の非歌唱パートから現在の歌唱パートへ切り替わる位置に最も近い前記停止位置で停止し、現在の歌唱パートから次の非歌唱パートへ切り替わる位置で、再生が停止された前記停止位置から前記動画の広告映像の再生を再開する
ことを特徴とする請求項１〜５のいずれかに記載の広告再生装置。
【請求項７】
複数の再生範囲からなる広告映像の前記再生範囲の終点を示す再生範囲位置と、前記広告映像の終点を示す再生完了位置とのいずれかを、前記広告映像の停止位置として含む広告映像情報を記憶する広告記憶部を備える広告再生装置のコンピュータにより実行される広告再生プログラムであって、
歌唱される歌唱パートと歌唱されない非歌唱パートとを含む楽曲がカラオケ装置により再生されるときに、非歌唱パートから歌唱パートへ切り替わる位置に到達したことを示す情報を受け付ける受付ステップと、
前記広告記憶部から広告映像情報を読み出して広告映像の再生を制御し、前記カラオケ装置により非歌唱パートおよび歌唱パートが再生されるときに、広告映像の再生の開始と、その再生の停止とを制御する広告制御ステップと、をコンピュータにより実行し、
前記広告制御ステップは、再生される楽曲が非歌唱パートから歌唱パートへ切り替わるとき、前記切り替わる位置に最も近い前記停止位置で、広告映像の再生を停止する制御を行うことを特徴とする広告再生プログラム。
【請求項８】
複数の再生範囲からなる広告映像の前記再生範囲の終点を示す再生範囲位置と、前記広告映像の終点を示す再生完了位置とのいずれかを、前記広告映像の停止位置として含む広告映像情報を記憶する広告記憶部と、
歌唱される歌唱パートと歌唱されない非歌唱パートとを含む楽曲をカラオケ装置により再生するための楽曲情報を記憶する楽曲記憶部と、
前記楽曲記憶部から楽曲情報を読み出して楽曲の再生を制御する楽曲制御部と、
楽曲の再生に合わせて前記広告記憶部から広告映像情報を読み出して広告映像を再生させ、前記楽曲制御部により読み出される楽曲情報に従って非歌唱パートおよび歌唱パートが再生されるときに、広告映像の再生の開始と、その再生の停止とを制御する広告制御部と、
を備え、
前記広告制御部は、再生される楽曲の中で非歌唱パートから歌唱パートへ切り替わる位置に最も近い前記停止位置で、広告映像の再生を停止する制御を行う
ことを特徴とする広告再生システム。
【発明の詳細な説明】
【技術分野】
【０００１】
本発明は、カラオケ装置により再生される楽曲に合わせて歌唱するユーザが非歌唱中のときに、複数の再生範囲からなる広告の所定範囲を再生する広告再生装置、広告再生プログラム、および広告再生システムに関する。
【背景技術】
【０００２】
従来、楽曲の演奏に合わせて映像が再生されるカラオケ装置がある。映像は、例えば、楽曲に対応付けられた楽曲専用映像や、楽曲に合わせて再生することで宣伝広告の効果が得られる宣伝広告映像である。このように楽曲に合わせて映像が再生されるカラオケ装置の一例として、特許文献１のカラオケ映像システムがある。このカラオケ映像システムは、楽曲の演奏中に、楽曲と共に表示出力される楽曲専用映像の一部区間が、宣伝広告映像に差し替えて表示される。
【先行技術文献】
【特許文献】
【０００３】
【特許文献１】特開２００４−３４１２２８号公報
【発明の概要】
【発明が解決しようとする課題】
【０００４】
しかしながら、楽曲の演奏中に宣伝広告映像が表示される場合に、曲中のユーザが歌唱する部分で宣伝広告映像が表示されると、歌唱中のユーザにとっては広告が目障りである場合がある。歌唱中のユーザが、表示される宣伝広告映像を目障りと感じると、宣伝広告映像の内容をユーザに知ってもらう広告効果は低くなる。
【０００５】
そのため、ユーザが歌唱中であるときは宣伝広告映像を表示せず、歌唱中でないときに宣伝広告映像を表示する表示制御を行うことが考えられる。この表示制御の場合、非歌唱パートの再生期間と、広告映像の再生期間とは、通常異なることから、非歌唱パートの再生期間が終了した時点では、広告映像の再生が継続しており、次の歌唱パートの再生のために、広告映像が突然停止されることがある。この結果、ユーザは、表示された広告映像の一部分からでは、まとまりのある広告内容を理解することができず、その広告効果は低くなる問題があった。
【０００６】
本発明は、上述した問題点を解決するためになされたものであり、広告映像の各再生範囲の終点を示す再生範囲位置と、広告映像の再生完了位置とのいずれかの停止位置のうちで、非歌唱パートから歌唱パートへ切り替わる位置に最も近い停止位置で、広告映像の再生を停止することから、ユーザは、その停止位置までに再生された広告映像のまとまりのある内容を理解することができる広告再生装置、広告再生プログラム、および広告再生システムを提供することを目的とする。
【課題を解決するための手段】
【０００７】
請求項１記載の広告再生装置は、複数の再生範囲からなる広告映像の前記再生範囲の終点を示す再生範囲位置と、前記広告映像の終点を示す再生完了位置とのいずれかを、前記広告映像の停止位置として含む広告映像情報を記憶する広告記憶部と、前記広告記憶部から広告映像情報を読み出して広告映像を再生させ、歌唱される歌唱パートと歌唱されない非歌唱パートとの各パートの位置が対応付けられた楽曲がカラオケ装置により再生されるときに、広告映像の再生の開始と、その再生の停止とを制御する広告制御部と、を備え、前記広告制御部は、再生される楽曲の中で非歌唱パートから歌唱パートへ切り替わる位置に最も近い停止位置で、広告映像の再生を停止する制御を行うことを特徴とする。
【０００８】
請求項２記載の広告再生装置は、前記楽曲が再生されている間に、楽曲の現在の再生位置が非歌唱パートから歌唱パートへ切り替わる位置に到達したことを示す情報を受け付ける受付部を備え、前記広告制御部は、前記受付部により、再生されている楽曲の非歌唱パートから歌唱パートへ切り替わる位置に到達したことを示す情報が受け付けられたとき、再生される楽曲に合わせて再生されている広告映像を、前記切り替わる位置へ到達した以後の最も近い前記停止位置で停止する制御を行うことを特徴とする。
【０００９】
請求項３記載の広告再生装置は、カラオケ装置において予約された楽曲の楽曲情報を取得する取得部と、前記取得部により取得された楽曲情報に従って楽曲が再生されるときに、再生される楽曲の前記非歌唱パートにおいて再生される広告映像を決定する広告決定部と、前記取得された楽曲情報の楽曲が非歌唱パートから歌唱パートへ切り替わる位置に対応付けて、前記広告決定部により決定された広告映像の再生を停止させる停止位置を決定する停止決定部と、を備え、前記広告制御部は、予約された楽曲が再生されるときに、前記広告決定部により決定された広告映像を、前記切り替わる位置に対応付けて前記停止決定部により決定された停止位置で停止する制御を行うことを特徴とする。
【００１０】
請求項４記載の広告再生装置は、前記取得部は、複数の非歌唱パートの各々の楽曲再生時間を含む前記楽曲情報を取得し、前記広告記憶部は、複数の広告映像について、広告映像の再生開始から再生完了までの広告再生時間を含む前記広告映像情報を記憶し、前記広告決定部は、前記取得部により取得された楽曲情報について、前記複数の非歌唱パートの各非歌唱パートの前記楽曲再生時間より短い前記広告再生時間の広告映像を再生すると決定することを特徴とする。
【００１１】
請求項５記載の広告再生装置は、前記広告制御部は、楽曲の再生に合わせて再生される広告映像の、先の非歌唱パートから現在の歌唱パートへ切り替わる位置に最も近い前記停止位置が、広告映像の再生完了位置を示す停止位置であり、前記再生完了位置を示す停止位置は、前記切り替わる位置よりも前に位置するとき、現在の歌唱パートから次の非歌唱パートへ切り替わるまで、広告映像を前記再生完了位置を示す停止位置で停止する制御を行うことを特徴とする。
【００１２】
請求項６記載の広告再生装置は、前記広告制御部は、楽曲の再生に合わせて再生される動画の広告映像を、先の非歌唱パートから現在の歌唱パートへ切り替わる位置に最も近い前記停止位置で停止し、現在の歌唱パートから次の非歌唱パートへ切り替わる位置で、再生が停止された前記停止位置から前記動画の広告映像の再生を再開することを特徴とする。
【００１３】
請求項７記載の広告再生プログラムは、複数の再生範囲からなる広告映像の前記再生範囲の終点を示す再生範囲位置と、前記広告映像の終点を示す再生完了位置とのいずれかを、前記広告映像の停止位置として含む広告映像情報を記憶する広告記憶部を備える広告再生装置のコンピュータにより実行される広告再生プログラムであって、歌唱される歌唱パートと歌唱されない非歌唱パートとを含む楽曲がカラオケ装置により再生されるときに、非歌唱パートから歌唱パートへ切り替わる位置に到達したことを示す情報を受け付ける受付ステップと、前記広告記憶部から広告映像情報を読み出して広告映像の再生を制御し、前記カラオケ装置により非歌唱パートおよび歌唱パートが再生されるときに、広告映像の再生の開始と、その再生の停止とを制御する広告制御ステップと、をコンピュータにより実行し、前記広告制御ステップは、再生される楽曲が非歌唱パートから歌唱パートへ切り替わるとき、前記切り替わる位置に最も近い前記停止位置で、広告映像の再生を停止する制御を行うことを特徴とする。
【００１４】
請求項８記載の広告再生システムは、複数の再生範囲からなる広告映像の前記再生範囲の終点を示す再生範囲位置と、前記広告映像の終点を示す再生完了位置とのいずれかを、前記広告映像の停止位置として含む広告映像情報を記憶する広告記憶部と、歌唱される歌唱パートと歌唱されない非歌唱パートとを含む楽曲をカラオケ装置により再生するための楽曲情報を記憶する楽曲記憶部と、前記楽曲記憶部から楽曲情報を読み出して楽曲の再生を制御する楽曲制御部と、楽曲の再生に合わせて前記広告記憶部から広告映像情報を読み出して広告映像を再生させ、前記楽曲制御部により読み出される楽曲情報に従って非歌唱パートおよび歌唱パートが再生されるときに、広告映像の再生の開始と、その再生の停止とを制御する広告制御部と、を備え、前記広告制御部は、再生される楽曲の中で非歌唱パートから歌唱パートへ切り替わる位置に最も近い前記停止位置で、広告映像の再生を停止する制御を行うことを特徴とする。
【発明の効果】
【００１５】
請求項１記載の広告再生装置においては、広告制御部は、再生される楽曲が非歌唱パートから歌唱パートへ切り替わる位置に最も近い停止位置で広告映像を停止させる。切り替わる位置に最も近い停止位置までの広告映像の再生により、歌唱中のユーザにとって、広告映像が目障りにならず、歌唱していないときに、ユーザは停止位置までの再生範囲の広告映像を見ることができるため、広告映像の内容を理解することができ、その広告効果を維持することができる。
【００１６】
請求項２記載の広告再生装置においては、楽曲の再生に合わせて広告映像が再生されているとき、判断部は、再生されている楽曲の非歌唱パートから歌唱パートへ切り替わる位置を判断し、広告制御部は、楽曲に合わせて再生される広告映像を、判断された楽曲の切り替わる位置以後の最も近い停止位置で停止させる。これにより、楽曲が再生中であり、再生中の楽曲に合わせて広告映像が再生されている場合であっても、楽曲の切り替わる位置以後の最も近い停止位置まで広告映像が再生されて停止される。最も近い停止位置までの広告映像の再生により、歌唱中のユーザにとって、広告映像が目障りにならず、歌唱していないときに、ユーザは停止位置までの再生範囲の広告映像を見ることができるため、広告映像の内容を理解することができ、その広告効果を維持することができる。
【００１７】
請求項３記載の広告再生装置においては、停止決定部は、予約された楽曲の非歌唱パートから歌唱パートへ切り替わる位置に対応付けて広告映像の再生を停止させる停止位置を決定する。広告制御部は、予約された楽曲が再生されるときに、停止決定部により決定された停止位置で、広告映像を停止させる。これにより、予約された楽曲が再生されるときに、歌唱中のユーザにとって、広告映像が目障りにならず、歌唱していないときに、ユーザは停止位置までの再生範囲の広告映像を見ることができるため、広告映像の内容を理解することができ、その広告効果を維持することができる。
【００１８】
請求項４記載の広告再生装置においては、広告決定部は、再生される楽曲の非歌唱パートの楽曲再生時間より短い広告再生時間の広告映像を再生すると決定する。これにより、楽曲の非歌唱パートでは、広告映像が完結して再生され、非歌唱パートから歌唱パートへ切り替わるときに、切り替わる位置に対応付けされた停止位置で広告映像の再生が停止される。よって、非歌唱パートの楽曲再生時間より短い広告再生時間の広告映像は、完結して再生されるため、ユーザは完結した広告映像の内容を理解することができ、その広告効果が十分に確保される。
【００１９】
また、非歌唱パートから歌唱パートへ切り替わる位置の少し前に先の広告映像が再生完了となると、歌唱パートへ切り替わるまでに新たな広告映像の再生の開始が可能な場合がある。歌唱パートへ切り替わるまでの残り時間が、新たな広告映像の停止位置までの再生時間より短い場合には、新たな広告映像は、楽曲の歌唱パートに及んで再生され、ユーザが歌唱するとき目障りになることがある。そこで、請求項５記載の広告再生装置においては、再生される楽曲の非歌唱パートから歌唱パートへの切り替わる位置に最も近い停止位置として、広告映像の再生完了を示す停止位置が、前記切り替わる位置よりも前に位置するとき、広告制御部は、歌唱パートから非歌唱パートへ切り替わるまで、先の広告映像を再生完了位置を示す停止位置で停止する。これにより、ユーザが歌唱するとき、新たな広告映像が目障りにならず、一方、先の広告映像の広告効果を維持することができる。
【００２０】
請求項６記載の広告再生装置においては、広告制御部は、再生される楽曲が非歌唱パートから歌唱パートへ切り替わるとき、再生が停止された停止位置から広告映像の再生を再開する。これにより、楽曲が再生されているときに、ユーザは、先の非歌唱パードで再生が停止された広告映像の続きを、次の非歌唱パートで見ることができ、停止位置までの再生範囲のまとまりのある広告映像の全てを見ることができるため、その広告効果を十分に確保することができる。
【００２１】
請求項７記載の広告再生プログラムにおいては、検出ステップは、再生される楽曲が非歌唱パートから歌唱パートへ切り替わる位置を検出する。広告制御ステップは、検出ステップにおいて検出された切り替わる位置に最も近い停止位置で広告映像を停止させる。切り替わる位置に最も近い停止位置までの広告映像の再生により、歌唱中のユーザにとって、広告映像が目障りにならず、歌唱していないときに、ユーザは停止位置までの再生範囲の広告映像を見ることができるため、その広告効果を維持することができる。
【００２２】
請求項８記載の広告再生システムにおいては、広告制御部は、再生される楽曲が非歌唱パートから歌唱パートへ切り替わる位置に最も近い停止位置で広告映像を停止させる切り替わる位置に最も近い停止位置までの広告映像の再生により、歌唱中のユーザにとって、広告映像が目障りにならず、歌唱していないときに、ユーザは停止位置までの再生範囲の広告映像を見ることができるため、その広告効果を維持することができる。
【図面の簡単な説明】
【００２３】
【図１】本発明の第１の実施形態に係るリモコン１、カラオケ装置２、センターサーバ４、および広告表示サーバ５を備えるカラオケシステムＳの概要構成例を示す図である。
【図２】リモコン１、カラオケ装置２、センターサーバ４、および広告表示サーバ５の電気的構成を示すブロック図である。
【図３（ａ）】広告表示サーバ５に記憶される広告再生リストのデータ構成の一例を示す図である。
【図３（ｂ）】カラオケ装置２に再生されるカラオケ曲のデータ構成の一例を示す図である。
【図４】本発明の第１の実施形態に係るカラオケ装置２により実行されるメイン処理を示すフローチャートである。
【図５】本発明の第１の実施形態に係る広告表示サーバ５により実行されるメイン動作の処理を示すフローチャートである。
【図６（ａ）】第１の実施形態に係るカラオケ装置２による楽曲の再生と、広告表示サーバ５による広告コンテンツの再生との関係とを説明する説明図である。
【図６（ｂ）】本発明の第２の実施形態に係るカラオケ装置２による楽曲の再生と、広告表示サーバ５による広告コンテンツの再生との関係とを説明する説明図である。
【図７】本発明の第２の実施形態に係るカラオケ装置２により実行されるメイン処理を示すフローチャートである。
【図８】本発明の第２の実施形態に係る広告表示サーバ５によるメイン動作の処理を示すフローチャートである。
【発明を実施するための形態】
【００２４】
［第１の実施形態に係るカラオケシステムの構成の概要］
以下、本発明の広告再生システムを、カラオケシステムに適用した第１の実施形態について説明する。図１は、本実施形態のカラオケシステムＳの構成を表す図である。一般的にカラオケ店舗ＫＳには、複数のカラオケルームＫＲが備えられている。図１は、カラオケ店舗ＫＳの中に備えられた複数のカラオケルームの中で、カラオケルームＫＲを１室示した例を示している。図１の例では、カラオケルームＫＲに、リモコン１及びカラオケ装置２が夫々１台ずつ設置されている。カラオケルームＫＲに、リモコン１は複数台設置されても良い。
【００２５】
図１に示すように、カラオケシステムＳは、リモコン１と、カラオケ装置２と、ディスプレイ３５と、センターサーバ４と、広告表示サーバ５と、ディスプレイ５４とを含んで構成される。リモコン１は、カラオケの楽曲の選曲または検索に用いられる選曲装置である。リモコン１には、リモコンＩＤが付与されている。リモコンＩＤは、リモコン１を識別するための識別情報である。リモコンＩＤは、リモコン１を特定するための情報であり、例えばリモコン１に割り当てられたＩＰアドレスである。リモコン１は、カラオケ店舗ＫＳに備えられたアクセスポイントＡＰ及びブロードバンドルータＢＲを介して、無線通信によりネットワークに接続される。これにより、リモコン１は、ブロードバンドルータＢＲを介してカラオケ装置２と通信可能であるとともに、ブロードバンドルータＢＲおよびネットワークを介してセンターサーバ４および広告表示サーバ５と通信可能である。リモコン１は、ネットワークを介して、または赤外線によりカラオケ装置２へ、楽曲の予約を依頼する。
【００２６】
カラオケ装置２は、リモコン１により依頼された予約に基づいて、楽曲の再生処理を行う。カラオケ装置２には、夫々カラオケ装置ＩＤが付与される。カラオケ装置ＩＤは、カラオケ装置を夫々識別するための情報である。カラオケ装置ＩＤは、カラオケ装置２を特定できる情報であれば、どのような情報であってもよいが、例えばカラオケ装置２に割り当てられたＩＰアドレスがカラオケ装置ＩＤとされる。リモコン１と、カラオケ装置２とは、ネットワークに接続された図示外の管理サーバにより、それぞれのＩＤとそのリモコン１およびカラオケ装置２が設置された所在地とが予め対応付けて管理されている。カラオケ装置２のカラオケ装置ＩＤにより、カラオケ装置２が存在する場所が特定され、カラオケ装置２が設置されるカラオケルームＫＲおよびカラオケ店舗ＫＳが特定される。リモコン１のリモコンＩＤと、カラオケ装置２のカラオケ装置ＩＤとが対応付けて管理されていることにより、リモコン１により依頼された予約に基づく各処理が、カラオケ装置２により実行される。
【００２７】
また、リモコン１の代わりに、ユーザが個人で所有する携帯端末装置から、楽曲の予約を、カラオケ装置２へ依頼することが可能である。ユーザは、夫々所有する携帯端末装置を用いて、カラオケ装置２へ楽曲の予約を依頼することができる。この場合、携帯端末装置は、携帯基地局Ｃを介してネットワークへ接続可能になっている。
【００２８】
センターサーバ４は、複数の広告コンテンツを記憶する。広告表示サーバ５は、ブロードバンドルータＢＲを介してネットワークに接続され、ブロードバンドルータＢＲを介してカラオケ装置２と通信可能であるとともに、ネットワークを介してセンターサーバ４と通信可能である。広告表示サーバ５には、ディスプレイ５４が接続される。広告表示サーバ５は、センターサーバ４から広告コンテンツを受信し、ディスプレイ５４に広告を表示させる。
【００２９】
[１．カラオケシステムＳの電気的構成]
図２は、カラオケシステムＳの電気的構成を示すブロック図である。以下、図２を用いて、リモコン１、カラオケ装置２、センターサーバ４、及び広告表示サーバ５の電気的構成を順に説明する。
【００３０】
［リモコン１の構成］
リモコン１は、制御部１１と、赤外線送信部１２と、記憶部１３と、ディスプレイ１４と、操作部１５と、操作処理部１６と、ビデオＲＡＭ１７と、映像制御部１８と、無線ＬＡＮ通信部１９とを備える。制御部１１は、リモコン１の動作を制御する。赤外線送信部１２は、後述するカラオケ装置２の赤外線受信部２５と通信することにより、リモコン１の指示を、カラオケ装置２へ送信する。記憶部１３は、予約情報記憶領域１３１を備える。予約情報記憶領域１３１は、楽曲ＩＤである楽曲識別情報を記憶する。楽曲識別情報は、ユーザがリモコン１を用いてカラオケ装置２に再生を予約する楽曲を識別するための情報である。記憶部１３の所定の記憶領域には、リモコン１にメイン動作を実行させるプログラムが記憶されている。
【００３１】
リモコン１のメイン動作は、例えば、カラオケシステムＳを利用するユーザによりリモコン１の電源がオンにされたことにより、実行される。ユーザは、リモコン１を用いて、カラオケ装置２が再生する楽曲を指定する。ユーザは、楽曲識別情報を指定することにより、指定された楽曲識別情報が、予約曲として予約情報記憶領域１３１に記憶される。予約情報記憶領域１３１に記憶された楽曲識別情報は、赤外線送信部１２により、カラオケ装置２の赤外線受信部２５へ送信される。
【００３２】
［カラオケ装置２の構成］
カラオケ装置２は、制御部２１と、ＬＡＮインタフェース部２２と、記憶部２３と、操作部２４と、赤外線受信部２５と、操作処理部２６と、シンセサイザ２７と、マイク制御部２８と、ミキシングアンプ３０と、ビデオＲＡＭ３１と、映像再生部３２と、映像制御部３３と、映像受信部３４とを備える。カラオケ装置２には、スピーカ２９と、ディスプレイ３５と、カメラ３６とが接続される。制御部２１は、カラオケ装置２の動作を制御する。制御部２１は、例えば、後述する予約リストに従って、予約された楽曲を再生させる指示を行う。ＬＡＮインタフェース部２２は、ネットワークに接続し、制御部２１からの情報を、ネットワークに接続される他の端末であるリモコン１と、センターサーバ４と、広告表示サーバ５とに送信する。また、ＬＡＮインタフェース部２２は、ネットワークに接続される他の端末からの情報を受信する。
【００３３】
記憶部２３は、予約リスト記憶領域２３１と、楽曲記憶領域２３２と、楽曲時間情報記憶領域２３３と、歌詞テロップ記憶領域２３４とを備える。予約リスト記憶領域２３１は、リモコン１を用いてユーザにより予約された楽曲の楽曲識別情報を、予約リストとして記憶する。具体的には、予約リストには、予約された楽曲を識別可能な楽曲識別情報が、リモコン１を用いて予約された楽曲の再生順にしたがって、登録される。予約リストは、カラオケ装置２により新たな楽曲が再生されるたびに、更新され、保存される。予約リストの１曲目に登録される楽曲が、カラオケ装置２により現在再生されている楽曲であり、２曲目以降が、現在１曲目に登録されている楽曲の再生終了後に、順次再生される予約曲である。
【００３４】
楽曲記憶領域２３２は、カラオケ装置２において再生される楽曲のデータを、楽曲識別情報と対応付けて記憶する。楽曲時間情報記憶領域２３３は、楽曲記憶領域２３２に記憶される楽曲のデータに対応する楽曲識別情報と対応付けて、楽曲時間情報を記憶する。楽曲時間情報は、楽曲の構成内容を示す非歌唱時間情報を含む。楽曲の構成内容を示す非歌唱時間情報とは、楽曲が再生されるときにユーザが歌唱しない非歌唱パートである前奏、間奏および後奏に関する情報である。詳細には、非歌唱時間情報は、前奏、間奏、および後奏である各非歌唱パートの演奏開始時刻と、その非歌唱パートの演奏の開始から終了までの長さを示す再生時間とを含む情報である。楽曲は、歌唱パートと、非歌唱パートとから構成され、歌唱パートの時間は、楽曲の再生時間の中で、前奏、間奏および後奏以外の時間である。
【００３５】
歌詞テロップ記憶領域２３４は、予約リストに登録された楽曲が再生されるとき、楽曲の再生に合わせて、ディスプレイ３５に表示される楽曲の歌詞テロップと、楽曲の再生が開始される直前にディスプレイ３５に表示される楽曲名とを記憶する。カラオケ装置２によりカラオケの楽曲が再生されるとき、ディスプレイ３５には、楽曲の歌詞テロップに従って、楽曲の歌詞が表示される。
【００３６】
楽曲記憶領域２３２と、楽曲時間情報記憶領域２３３と、歌詞テロップ記憶領域２３４とに記憶される情報は、全てセンターサーバ４から取得され、記憶される。
【００３７】
操作部２４により、ユーザは、リモコン１と同様に、楽曲を予約することができる。赤外線受信部２５は、リモコン１の赤外線送信部１２から、情報を受信する。操作処理部２６は、操作部２４および赤外線受信部２５からの情報を、操作指示として、制御部２１に送信する。シンセサイザ２７は、制御部２１による制御に従って、楽曲の音を発生させる指示をミキシングアンプ３０へ行う。マイク制御部２８は、図示外のマイクを用いてユーザにより入力される音を発生させる指示をミキシングアンプ３０へ行う。スピーカ２９およびミキシングアンプ３０は、シンセサイザ２７およびマイク制御部２８から受信する指示に従って、音を発生させる。映像制御部３３は、ビデオＲＡＭ３１、映像再生部３２、及び映像受信部３４と協働して、制御部２１による制御に従って、ディスプレイ３５に種々の映像を表示させる。また、映像制御部３３は、制御部２１による制御に従って、カメラ３６が撮影した映像を、ディスプレイ３５に表示させる。
【００３８】
［センターサーバ４の構成］
センターサーバ４は、ＬＡＮインタフェース部４１と、制御部４２と、広告記憶部４３と、曲記憶部４４とを備える。ＬＡＮインタフェース部４１は、ネットワークに接続され、ブロードバンドルータＢＲを介して他の端末であるリモコン１と、カラオケ装置２と、広告表示サーバ５とに接続される。制御部４２は、センターサーバ４のメイン動作を実行させるプログラムを記憶し、センターサーバ４の動作を制御する。
【００３９】
広告記憶部４３は、広告コンテンツ記憶領域４３１と、広告リスト記憶領域４３２とを備える。広告コンテンツ記憶領域４３１は、カラオケシステムＳを利用してディスプレイ５４に表示させる多数の広告コンテンツを記憶する。広告コンテンツは、カラオケ装置２により再生される楽曲に関連せず、表示されるタイミングが制限されない広告コンテンツである。広告コンテンツには、広告識別情報が対応付けられている。
【００４０】
広告リスト記憶領域４３２は、広告表示サーバ５により処理される広告リストを記憶する。広告リストは、広告コンテンツ記憶領域４３１に記憶された広告コンテンツを、広告識別情報と対応付けた広告コンテンツの一覧リストである。本実施形態では、広告コンテンツは、動画から構成される。図３（ａ）は、広告リストのデータ構成を示す一例である。図３（ａ）に示すように、広告リストには、１０個の広告コンテンツの広告識別情報と、各広告コンテンツの表示完了時間と、停止タイミングとが含まれる。表示完了時間は、広告コンテンツの再生が開始され、再生が完了されるまでに必要な時間である。停止タイミングは、広告コンテンツの再生が開始された後に、途中で停止されるとき、停止される位置を示す再生経過時間である。広告コンテンツは、再生が開始され完了される表示完了時間で完結する１つの広告となっている。１つの広告とは、ユーザが広告の内容を十分に理解できる範囲が、再生完了時間で再生されるものである。１つの広告は、複数の再生範囲に区画され、各再生範囲の内容もユーザが理解できる範囲である。広告コンテンツの再生が開始された後、停止タイミングまでの再生経過時間で再生される部分、すなわち再生範囲も、広告内容として部分的にまとった構成となっている。広告コンテンツの停止タイミングは、１つの広告コンテンツ内の複数箇所に定められていても良い。本実施形態では、広告リスト中の各広告は、１つの停止タイミングを有することから、表示完了時間により設定される再生完了範囲が２つの再生範囲に区画された広告映像であり、各広告の再生開始から停止タイミングまでの再生範囲と、その停止タイミングから再生完了までの再生範囲とを有する。
【００４１】
また、曲記憶部４４は、楽曲記憶領域４４１と、楽曲時間情報記憶領域４４２と、歌詞テロップ記憶領域４４３とを備える。楽曲記憶領域４４１は、カラオケの楽曲と、楽曲を識別可能な楽曲識別情報とを対応付けて記憶する。楽曲時間情報記憶領域４４２は、楽曲記憶領域４４１に記憶される楽曲について、各楽曲の楽曲識別情報と対応付けて、楽曲の構成内容を示す非歌唱時間情報を記憶する。図３（ｂ）は、一例として、或る１曲の楽曲時間情報のデータ構成を示す説明図である。具体的には、２か所の間奏がある楽曲の例である。図３（ｂ）に示すように、楽曲の楽曲識別情報に対応して、その楽曲の前奏開始時刻と、前奏再生時間と、間奏Ａ開始時刻と、間奏Ａ再生時間と、間奏Ｂ開始時刻と、間奏Ｂ再生時間と後奏開始時刻と、後奏再生時間とが非歌唱時間情報として記憶される。歌詞テロップ記憶領域４４３は、楽曲記憶領域４４１に記憶された楽曲について、各楽曲がカラオケ装置２により再生されるとき、楽曲の再生に合わせて、ディスプレイ３５に表示させる楽曲の歌詞テロップと、楽曲の再生が開始される直前にディスプレイ３５に表示させる楽曲名とを記憶する。また、本実施形態では、広告コンテンツを記憶する広告記憶部４３と、楽曲を記憶する曲記憶部４４とが、共にセンターサーバ４に備えられる構成であるが、これに限らない。広告記憶部４３と、曲記憶部４４とは、それぞれ別体のサーバにそれぞれ設けられてもよい。
【００４２】
センターサーバ４のメイン動作は、センターサーバ４の管理者により電源がオンされたことにより、実行される。センターサーバ４は、広告コンテンツが新たに投入されると、新たな広告コンテンツを、広告記憶部４３の広告コンテンツ記憶領域４３１に記憶する。新たな広告コンテンツを記憶するとき、新たな広告コンテンツの広告識別情報に従って、広告リストを作成し、広告リスト記憶領域４３２に記憶する。
【００４３】
センターサーバ４は、後述する広告表示サーバ５へ、定期的に広告リストを送信する。広告表示サーバ５は、受信した広告リストに含まれる広告識別情報の広告コンテンツを記憶していないと判断すると、その記憶していない広告コンテンツを示す広告識別情報をセンターサーバ４に送信して要求する。センターサーバ４は、要求された広告コンテンツを広告表示サーバ５へ送信する。
【００４４】
また、センターサーバ４は、カラオケ店舗ＫＳのカラオケルームＫＲに設置されたカラオケ装置２とリモコン１との対応付けを示す情報を、広告記憶部４３の所定の記憶領域に記憶しても良い。また、センターサーバ４は、カラオケ店舗ＫＳに設置されたカラオケ装置と携帯端末装置との対応付けを示す情報を記憶しても良い。センターサーバ４は、その対応付けを示す情報に基づいて、リモコン１から送信された予約依頼を、リモコン１と対応付けられたカラオケ装置２へ送信する。また、図示外の管理サーバが、カラオケ装置と携帯端末情報との対応付けを示す情報を記憶しても良い。この場合、管理サーバが、記憶した対応付けを示す情報に基づいて、携帯端末装置から送信された予約依頼を、携帯端末装置と対応付けられたカラオケ装置２へ送信する。
【００４５】
［広告表示サーバ５の構成］
広告表示サーバ５は、ＬＡＮインタフェース部５１と、制御部５２と、記憶部５３と、ビデオＲＡＭ５７と、映像制御部５８とを備える。ＬＡＮインタフェース部５１は、ネットワークに接続するためのインタフェースである。広告表示サーバ５には、ディスプレイ５４が接続される。制御部５２は、広告表示サーバ５の動作を制御し、記憶部５３とともにコンピュータを構成する。記憶部５３は、広告コンテンツ記憶領域５３１と、広告リスト記憶領域５３２と、予約リスト記憶領域５３３と、楽曲時間情報記憶領域５３４とを備える。
【００４６】
広告コンテンツ記憶領域５３１は、センターサーバ４から送信される広告コンテンツと広告識別情報とを記憶する。広告リスト記憶領域５３２は、センターサーバ４から送信される広告リストを記憶する。広告表示サーバ５は、広告リストに含まれる広告識別情報に対応する広告コンテンツが、広告コンテンツ記憶領域５３１に記憶されていないとき、その記憶されていない広告コンテンツをセンターサーバ４から取得する。
【００４７】
予約リスト記憶領域５３３は、カラオケ装置２から取得した予約リストを記憶する。楽曲時間情報記憶領域５３４には、予約リストの楽曲に対応して楽曲時間情報が記憶される。
【００４８】
映像制御部５８は、ビデオＲＡＭ５７と協働して、制御部５２による制御に従って、ディスプレイ５４に映像を表示させる。ビデオＲＡＭ５７は、ディスプレイ５４に表示させる映像を一時記憶する。映像制御部５８は、ディスプレイ５４に、広告コンテンツに従った映像を表示させる。
【００４９】
カラオケ装置２により再生される楽曲を歌唱するユーザは、楽曲を歌唱していないとき、再生される広告コンテンツを閲覧する余裕がある。そのため、本実施形態では、広告表示サーバ５は、カラオケ装置２により再生される楽曲の前奏、間奏、および後奏の非歌唱パートにおいて、広告コンテンツの再生を指示する。また、楽曲の前奏、間奏、および後奏以外の歌唱パートにおいては、広告コンテンツの再生が停止されることが望ましい。しかしながら、広告コンテンツが、非歌唱パートから、歌唱パートに切り替わるときに、広告コンテンツが突然停止されると、広告として成り立たないタイミングで、広告が中断されてしまう恐れがある。本実施形態では、広告コンテンツに、再生が開始されてから終了されるまでの表示完了時間の間に、一時停止が可能な停止タイミングを設けた。これにより、広告表示サーバ５は、カラオケ装置により再生される楽曲の前奏、間奏、および後奏の非歌唱パートにおいて、広告コンテンツを再生させ、楽曲が、非歌唱パートから歌唱パートに切り替わるタイミングに応じて、停止タイミングで広告を停止させることを可能にする。
【００５０】
［第１の実施形態に係るカラオケシステムの動作の概要］
（カラオケ装置の動作）
第１の実施形態のカラオケシステムＳに用いられるカラオケ装置２の動作及び作用について、図４を参照して説明する。図４は、カラオケ装置２におけるメイン動作の処理手順を示すフローチャートである。なお、カラオケ装置２にメイン動作を実行させるプログラムは、記憶部２３の所定の記憶領域に記憶されている。カラオケ装置２のメイン動作は、例えば、カラオケ装置２の電源がオンされたことにより、実行される。以下、図４に示すステップＳ２１０〜ステップＳ２２４のメイン処理は、制御部２１により実行される。
【００５１】
ステップＳ２１０では、楽曲の再生が予約されているか否かが判断される。具体的には予約リスト記憶領域２３１に記憶された予約リストに、未再生の楽曲があるか否かが判断される。未再生の楽曲があることにより、楽曲の再生が予約されていると判断されると（Ｓ２１０：ＹＥＳ）、ステップＳ２１２の処理が実行さる。ステップＳ２１０の処理は、楽曲の再生が予約されていると判断されるまで、繰り返される。
【００５２】
ステップＳ２１２では、予約リストのうち、再生順序が最先に設定された楽曲の再生が開始される。ステップＳ２１２では、楽曲が再生されるとき、楽曲の経過時間がカウントされるとともに、楽曲時間情報記憶領域２３３に記憶された再生される楽曲の楽曲時間情報が読み出される。
【００５３】
ステップＳ２１４では、ステップＳ２１２において再生が開始された楽曲について、楽曲時間情報に基づいて歌唱パートの再生が開始されたか否かが判断される。ステップＳ２１４において、歌唱パートの再生が開始されたと判断されると（Ｓ２１４：ＹＥＳ）、ステップＳ２１６の処理が実行される。ステップＳ２１４において、歌唱パートの再生が開始されたと判断されないと（Ｓ２１４：ＮＯ）、ステップＳ２１８の処理が実行される。ステップＳ２１６では、広告表示サーバ５へ、歌唱パートの再生が開始されたことが通知される。
【００５４】
ステップＳ２１８では、ステップ２１２において再生が開始された楽曲について、楽曲時間情報に基づいて、前奏、間奏、後奏のいずれかの非歌唱パートの再生が開始されたか否かが判断される。ステップＳ２１８において、非歌唱パートの再生が開始されたと判断されると（Ｓ２１８：ＹＥＳ）、ステップＳ２２０の処理が実行される。ステップＳ２１８において、歌唱パートの再生が開始されたと判断されないと（Ｓ２１８：ＮＯ）、ステップＳ２２２の処理が実行される。ステップＳ２２０では、広告表示サーバ５へ、非歌唱パートの再生が開始されたことが通知される。
【００５５】
ステップＳ２２２では、ステップＳ２１２において再生か開始された楽曲の再生が、終了したか否かが判断される。ステップＳ２２２で、楽曲の再生が終了したと判断されると（Ｓ２２２：ＹＥＳ）、ステップＳ２２４の処理が実行される。ステップＳ２２２で、楽曲の再生が終了したと判断されないと（Ｓ２２２：ＮＯ）、ステップＳ２１４の処理が実行される。
【００５６】
ステップＳ２２４では、電源をオフにする指示がされたか否かが判断される。電源をオフにする指示がされたと判断されると（Ｓ２２４：ＹＥＳ）、カラオケ装置２のメイン処理が終了される。電源をオフにする指示がされたと判断されないと（Ｓ２２４：ＮＯ）、ステップＳ２１０の処理が実行される。
【００５７】
（広告表示サーバの動作）
第１の実施形態のカラオケシステムＳに用いられる広告表示サーバ５の動作及び作用について、図５を参照して説明する。図５は、広告表示サーバ５におけるメイン動作の処理手順を示すフローチャートである。なお、広告表示サーバ５にメイン動作を実行させるプログラムは、記憶部５３の所定の記憶領域に記憶されている。広告表示サーバ５のメイン動作は、例えば、広告表示サーバ５の電源がオンされたことにより、実行される。広告表示サーバ５は、電源がオンされたとき、センターサーバ４から、広告リストを受信し、広告リスト記憶領域５３２に記憶する。広告表示サーバは、受信した広告リストに含まれる広告識別情報の広告コンテンツを受信し、広告コンテンツ記憶領域５３１に記憶する。以下、図５に示すステップＳ５１０〜ステップＳ５２６のメイン処理は、制御部５２により実行される。
【００５８】
ステップＳ５１０では、広告リスト記憶領域５３２に記憶された広告リストから、広告コンテンツの再生順序が決定される。例えば、広告リスト記憶領域５３２には、図３（ａ）に示す広告リストが記憶されているとき、広告識別情報のアルファベット順に従って、広告コンテンツの再生順序が、「広告Ａ」、「広告Ｂ」、「広告Ｃ」、「広告Ｄ」、「広告Ｅ」、・・・、「広告Ｈ」、「広告Ｉ」の順に設定される。
【００５９】
ステップＳ５１２では、ステップＳ５１０において決定された再生順序に従って、広告コンテンツが、順次再生される。再生される広告コンテンツは、広告識別情報に従って、広告コンテンツ記憶領域５３１から読み出され、再生が開始される。例えば、図３（ａ）に示す広告リストに従って、広告識別情報「広告Ａ」の広告コンテンツが再生され、再生が完了されると、続いて、広告識別情報「広告Ｂ」の広告コンテンツが再生される。広告コンテンツの再生が開始されるとき、広告コンテンツの再生時間のカウントが開始される。
【００６０】
ステップＳ５１４では、カラオケ装置２から、楽曲の歌唱パートの再生が開始されたことを示す情報の通知を受信したか否かが判断される。楽曲の歌唱パートの再生が開始されたことを示す情報の通知を受信したと判断されると（Ｓ５１４：ＹＥＳ）、カラオケ装置２において、歌唱パートが再生されていると判断され、ステップＳ５１６の処理が実行される。ステップＳ５１４において、楽曲の歌唱パートの再生が開始されたことを示す情報の通知を受信したと判断されないとき（Ｓ５１４：ＮＯ）、ステップＳ５１４の処理が繰り返し実行される。
【００６１】
ステップＳ５１６では、ステップＳ５１２において再生が開始された広告コンテンツについて、広告リスト記憶領域５３２の広告リストから、停止タイミングと、表示完了時間とが読み出されて取得される。
【００６２】
ステップＳ５１８では、ステップＳ５１６において取得された停止タイミングと、表示完了時間とのうち、再生されている広告コンテンツの現在の再生時間以後であり、最先の停止タイミングまたは表示完了時間のいずれかまで再生し、最先の停止タイミングまたは表示完了時間まで再生されたときに、再生中の広告コンテンツを停止させる。
【００６３】
ステップＳ５２０では、カラオケ装置２から、楽曲の非歌唱パートの再生が開始されたことを示す情報の通知を受信したか否かが判断される。楽曲の前奏、間奏、または後奏のいずれかの非歌唱パートの再生が開始されたことを示す情報の通知を受信したと判断されると（Ｓ５２０：ＹＥＳ）、カラオケ装置２において、非歌唱パートが再生されていると判断され、ステップＳ５２２の処理が実行される。ステップＳ５２０において、楽曲の歌唱パートの再生が開始されたことを示す情報の通知を受信したと判断されないとき（Ｓ５２０：ＮＯ）、ステップＳ５２０の処理が繰り返し実行される。
【００６４】
ステップＳ５２２では、ステップＳ５１８において停止された広告コンテンツの再生が再開される。ステップＳ５１８において、広告コンテンツが、表示完了時間で停止された後に、ステップＳ５２２で広告コンテンツの再生が再開されるときは、広告リストの再生順序に従って、次の広告コンテンツの再生が開始される。
【００６５】
ステップＳ５２４では、電源をオフにする指示がされたか否かが判断される。電源をオフにする指示がされたと判断されると（Ｓ５２４：ＹＥＳ）、広告表示サーバ５のメイン処理が終了される。電源をオフにする指示がされたと判断されないと（Ｓ５２４：ＮＯ）、ステップＳ５１４の処理が実行される。
【００６６】
（カラオケ装置と広告表示サーバとの連携動作）
図６（ａ）は、第１の実施形態における、カラオケ装置２により再生される楽曲の歌唱パート、および非歌唱パートと、広告表示サーバ５により実行される広告コンテンツの再生、および停止との、タイミングの関係を時間遷移により示した説明図である。
【００６７】
図６（ａ）では、カラオケ装置２により、図３（ｂ）に示す楽曲識別情報「Ｃ３０５４９」の楽曲の再生が開始されたとき、広告表示サーバ５により、広告リストに従って順に、「広告Ａ」、「広告Ｂ」、「広告Ｃ」、「広告Ｄ」が表示される例を示す。なお、図６（ａ）および図６（ｂ）において、広告コンテンツの再生について、再生開始を○、再生停止を▲、再生再開を△、再生完了を●で示す。
【００６８】
カラオケ装置２のメイン動作が実行されると、カラオケ装置２では、ステップＳ２１２の処理により、楽曲識別情報「Ｃ３０５４９」の楽曲の再生が開始される。広告表示サーバ５では、ステップＳ５１２の処理により、「広告Ａ」の再生が開始される。「広告Ａ」の停止タイミングは、２５秒であり、表示完了時間は４５秒である。カラオケ装置２は、楽曲識別情報「Ｃ３０５４９」の楽曲の再生が開始されてから、前奏が終了する時間２０秒が経過したとき、ステップＳ２１４において、歌唱パートが開始されたと判断し、ステップＳ２１６において、広告表示サーバ５に歌唱パートの再生が開始されたことを通知する。例えば、「広告Ａ」は、表示完了時間４５秒を有する再生完了範囲を有し、その再生完了範囲は、２つの再生範囲に区画される。前半の再生範囲は、停止タイミング２５秒を有する再生範囲であり、後半の再生範囲は、停止タイミング２５秒から、表示完了時間４５秒までの２０秒の再生範囲である。「広告Ａ」は、ある楽曲のアーティストを紹介する動画である。その前半の再生範囲は、アーティストのプロフィールを紹介する広告である。後半の再生範囲は、アーティストの最近のイベントを紹介する広告である。「広告Ｂ」〜「広告Ｉ」の広告の内容の構成も、「広告Ａ」と同様である。
【００６９】
広告表示サーバ５は、カラオケ装置２から、歌唱パートの再生が開始された通知を受信すると、最も早い停止タイミングまたは表示完了時間まで広告を再生する。広告表示サーバ５が、再生する「広告Ａ」について停止タイミングが２５秒であるため、２５秒再生し、再生の開始から２５秒が経過したとき、「広告Ａ」の再生を停止する。
【００７０】
次に、カラオケ装置２は、楽曲識別情報「Ｃ３０５４９」の楽曲の再生が開始されてから、間奏Ａが開始される時間１分２０秒が経過したとき、ステップＳ２１８の処理により、非歌唱パートが開始されたと判断し、ステップＳ２２０において、広告表示サーバ５に非歌唱パートの再生が開始されたことを通知する。広告表示サーバ５は、カラオケ装置２から楽曲の非歌唱パートの再生が開始された通知を受信すると、「広告Ａ」の再生を再開する。広告表示サーバ５は、「広告Ａ」の再生を完了すると、続けて、「広告Ｂ」の再生を開始する。
【００７１】
カラオケ装置２は、楽曲識別情報「Ｃ３０５４９」の楽曲の再生が開始されてから、間奏Ａが終了する時間１分５０秒を経過したとき、ステップＳ２１４において、歌唱パートが開始されたと判断し、ステップＳ２１６において、広告表示サーバ５に歌唱パートの再生が開始されたことを通知する。このとき、広告表示サーバ５は、停止タイミング１５秒、表示完了時間３０秒の「広告Ｂ」が、再生開始から１０秒を経過している。「広告Ｂ」は、停止タイミングが１５秒と設定されている。そのため、広告表示サーバ５は、「広告Ｂ」を１５秒再生し、再生の開始から１５秒が経過したとき、「広告Ｂ」の再生を停止する。
【００７２】
次に、カラオケ装置２は、楽曲識別情報「Ｃ３０５４９」の楽曲の再生が開始されてから、間奏Ｂが開始される時間２分５０秒が経過したとき、ステップＳ２１８の処理により、非歌唱パートが開始されたと判断し、ステップＳ２２０において、広告表示サーバ５に非歌唱パートの再生が開始されたことを通知する。広告表示サーバ５は、カラオケ装置２から楽曲の非歌唱パートの再生が開始された通知を受信すると、「広告Ｂ」の再生を再開する。
【００７３】
カラオケ装置２は、楽曲識別情報「Ｃ３０５４９」の楽曲の再生が開始されてから、間奏Ｂが終了する時間３分００秒が経過したとき、ステップＳ２１４において、歌唱パートが開始されたと判断し、ステップＳ２１６において、広告表示サーバ５に歌唱パートの再生が開始されたことを通知する。このとき、広告表示サーバ５は、「広告Ｂ」が、再生開始から２５秒を経過している。「広告Ｂ」は、表示完了時間が３０秒と設定されている。そのため、広告表示サーバ５は、「広告Ｂ」を再生し、広告コンテンツの再生再開から１５秒、すなわち再生の開始から３０秒が経過したとき、「広告Ｂ」の再生を停止する。
【００７４】
さらに、カラオケ装置２は、楽曲識別情報「Ｃ３０５４９」の楽曲の再生が開始されてから、後奏が開始される時間４分００秒を経過したとき、ステップＳ２１８の処理により、非歌唱パートが開始されたと判断し、ステップＳ２２０において、広告表示サーバ５に非歌唱パートの再生が開始されたことを通知する。広告表示サーバ５は、カラオケ装置２から楽曲の非歌唱パートの再生が開始された通知を受信すると、「広告Ｃ」の再生を開始する。「広告Ｃ」は再生が完了されるまでの１５秒再生される。「広告Ｃ」の再生が完了されたとき、楽曲識別情報「Ｃ３０５４９」の楽曲の後奏は、１０秒の再生時間が残っているため、広告表示サーバ５は、「広告Ｃ」に続いて、「広告Ｄ」の再生を開始する。広告表示サーバ５は、次にカラオケ装置２より歌唱パートの再生が開始された通知を受信するまで、広告リストに従って広告コンテンツを順次再生する。尚、「広告Ｄ」あるいは以降の広告再生が連続して再生されているときに、カラオケ装置２により次に再生が予約された楽曲の再生が開始されてもよい。
【００７５】
［第１の実施形態の変形例］
上述した第１の実施形態では、広告表示サーバ５は、カラオケ装置２から、再生される楽曲の歌唱パートの開始時、または非歌唱パートの開始時に、歌唱中または非歌唱中であることを示す情報を取得し、取得した情報に応じて、広告コンテンツの再生と停止とを実行していた。しかしながら、カラオケ装置２が、再生している楽曲の歌唱パートの開始予定を、楽曲の予約時など楽曲の再生前に事前に広告表示サーバ５に通知する構成であってもよい。
【００７６】
例えば、広告表示サーバ５は、事前に歌唱パートの開始予定を取得した場合には、楽曲の歌唱パートの開始予定に最も近い表示完了時間、または停止タイミングが、歌唱パートの開始予定より前に存在するか、または歌唱パートの開始予定より後に存在するかを判断することが出来る。再生される広告コンテンツにおいて、楽曲の歌唱パートの開始予定に最も近い表示完了時間、または停止タイミングのいずれかが、歌唱パートの開始予定より早い時間に存在するときは、歌唱パートが開始されるよりも前の表示完了時間、または停止タイミングのいずれかがで停止させてもよい。広告コンテンツを、再生される楽曲の歌唱パートの開始予定の直前に、表示完了時間または停止タイミングのいずれかで停止させることにより、楽曲の歌唱パートにおいて、広告コンテンツが再生されることがない。この結果、広告コンテンツが、歌唱するユーザの目障りになることがなく、広告効果を保つことが出来る。
【００７７】
本実施形態において、楽曲の再生中に歌唱されない非歌唱パートは、記憶部２３の楽曲時間情報記憶領域２３３に楽曲時間情報として記憶された、楽曲の前奏、間奏、および後奏の再生時間で示されていた。しかしながら、非歌唱パートは、記憶部２３に記憶された楽曲時間情報を利用して判断する構成に限られない。例えば、歌詞テロップ記憶領域２３５に記憶された、楽曲の再生に合わせて、ディスプレイ３５に表示される歌詞テロップに、歌詞テロップの各フレーズをディスプレイ３５に表示させる表示時刻が定められている場合、各フレーズの表示時刻が設定されていない時間に基づいて、非歌唱パートを判断してもよい。例えば、歌詞テロップのフレーズの表示時刻が設定されていない時間が、所定時間以上存在するときに、この表示時刻が設定されていない時間を非歌唱パートの再生時間と判断する。これにより、楽曲に対応付けられて楽曲の前奏、間奏、および後奏の再生時間を示す情報が記憶されていない場合であっても、非歌唱パートの再生時間を取得することが可能である。
【００７８】
本実施形態において、広告コンテンツは、動画から構成されるが、これに限らない。広告コンテンツに、静止画が含まれていても良い。例えば、広告コンテンツとして、表示完了時間が定められた１つの静止画からなる広告コンテンツや、停止タイミングと、表示完了時間とが定められた２つ以上の静止画からなる広告コンテンツが含まれていてもよい。
【００７９】
［第２の実施形態］
以下、本発明の第２の実施形態について、説明する。
【００８０】
第１の実施形態では、カラオケ装置２から、楽曲の再生される経過に沿って、歌唱パートの再生が開始された時と、非歌唱パートの再生が開始された時とに、広告表示サーバ５へ各パートの再生開始が通知されていた。広告表示サーバ５は、定められた再生順序の広告リストの各広告コンテンツを順次再生し、カラオケ装置２から通知されたときに、通知に従って、広告コンテンツの再生と停止とを実行していた。
【００８１】
これに対し、第２の実施形態は、カラオケ装置２が、再生される楽曲の歌唱パートの再生が開始される時間と、非歌唱パートの再生が開始される時間とを、楽曲が再生される前に、広告表示サーバ５へ通知する構成である。広告表示サーバ５は、カラオケ装置２により楽曲が再生される前に、楽曲の歌唱パートの開始時間と、非歌唱パートの開始時間とを受信することにより、各非歌唱パートで広告コンテンツを再生可能な時間を判断可能である。これにより、広告表示サーバ５は、広告リストに従って、各非歌唱パートの再生時間に、再生完了させることが可能な広告コンテンツを設定することが可能となる。第２の実施形態は、他の部分の構成及び処理について、第１の実施形態と同じであるので、相違する構成についてのみ詳述し、同じ構成についてその説明を省略する。
【００８２】
［第２の実施形態に係るカラオケシステムの動作の概要］
（カラオケ装置の動作）
第２の実施形態のカラオケ装置２の動作及び作用について、図７を参照して説明する。図７は、カラオケ装置２におけるメイン動作の処理手順を示すフローチャートである。第２の実施形態では、電源がオンされたカラオケ装置２の制御部２１により、図７に示すステップＳ１２１０〜ステップＳ１２２４のメイン処理が実行される。
【００８３】
ステップＳ１２１０では、楽曲の再生が予約されているか否かが判断される。具体的には、予約リスト記憶領域２３１に記憶された予約リストに、未再生の楽曲があるか否かが判断される。未再生の楽曲があることにより、楽曲の再生が予約されていると判断されると（Ｓ１２１０：ＹＥＳ）、ステップＳ１２１２の処理が実行さる。楽曲の再生が予約されていると判断されるときは、広告表示サーバ５に、楽曲の再生が予約されていることが通知される。ステップＳ１２１０の処理は、楽曲の再生が予約されていると判断されるまで、繰り返される。
【００８４】
ステップＳ１２１２では、予約リストのうち、再生順序が最先に設定された楽曲の非歌唱パートと、歌唱パートとの楽曲時間情報が、広告表示サーバ５へ送信される。詳細には、楽曲時間情報記憶領域２３３に記憶された楽曲時間情報に基づいて、楽曲の非歌唱パートの開始時刻と、非歌唱パートの再生時間と、歌唱パートの再生開始時刻とが、広告表示サーバ５へ送信される。例えば、図３（ｂ）に示す楽曲識別情報「Ｃ３０５４９」の楽曲が、再生順序が最先に設定された楽曲であるとき、広告表示サーバ５へ、前奏開始時刻０秒と、前奏再生時間２０秒と、間奏Ａ開始時刻１分２０秒と、間奏Ａ再生時間３０秒と、間奏Ｂ開始時刻２分５０秒と、間奏Ｂ再生時間１０秒と、後奏開始時刻４分００秒と、後奏再生時間２５秒と、各歌唱パート再生開始時刻２０秒、１分５０秒、３分００秒とが送信される。
【００８５】
ステップＳ１２１４では、予約リストのうち、再生順序が最先に設定された楽曲の再生が開始される。ステップＳ１２１６では、ステップＳ１２１４において楽曲の再生が開始されたことが通知される。
【００８６】
ステップＳ１２１８では、ステップＳ１２１４において再生が開始された楽曲が中断されたか否かが判断される。楽曲の再生が中断されたと判断されると（Ｓ１２１８：ＹＥＳ）、ステップＳ１２２２の処理が実行される。楽曲の再生が中断されたと判断されないと（Ｓ１２１８：ＮＯ）、ステップＳ１２２０の処理が実行される。
【００８７】
ステップＳ１２２０では、ステップＳ１２１４において開始された楽曲の再生が完了したか否かが判断される。楽曲の再生が完了したと判断されると（Ｓ１２２０：ＹＥＳ）、ステップＳ１２２４の処理が実行される。楽曲の再生が完了したと判断されないと（Ｓ１２２０：ＮＯ）、ステップＳ１２１８の処理が繰り返される。ステップＳ１２２２では、広告表示サーバ５に、楽曲の再生が中断されたことが通知される。
【００８８】
ステップＳ１２２４では、電源をオフにする指示がされたか否かが判断される。電源をオフにする指示がされたと判断されると（Ｓ１２２４：ＹＥＳ）、カラオケ装置２のメイン処理が終了される。電源をオフにする指示がされたと判断されないと（Ｓ１２２４：ＮＯ）、ステップＳ１２１０の処理が実行される。
【００８９】
（広告表示サーバの動作）
次に、第２の実施形態の広告表示サーバ５の動作及び作用について、図８を参照して説明する。図８は、広告表示サーバ５におけるメイン動作の処理手順を示すフローチャートである。第２の実施形態では、電源がオンされた広告表示サーバ５の制御部５２により、図８に示すステップＳ１５１０〜ステップＳ１５３８のメイン処理が実行される。第２の実施形態の広告表示サーバ５では、はじめに、再生が予約された楽曲の複数の非歌唱パートの非歌唱時間が取得される。広告コンテンツが全て動画で構成された広告コンテンツであるとき、取得された各非歌唱パートに対して、表示完了時間が短い広告コンテンツから順に、広告コンテンツが選択され、各非歌唱パートにおいて再生される広告コンテンツと決定される。
【００９０】
ステップＳ１５１０では、カラオケ装置２から、楽曲の再生が予約されている通知を受信したか否かが判断される。楽曲の再生が予約されている通知を、カラオケ装置２から受信したと判断されたとき（Ｓ１５１０：ＹＥＳ）、ステップＳ１５１２の処理は実行される。ステップＳ１５１０の処理は、楽曲の再生が予約されている通知を受信したと判断されるまで、繰り返し実行される。
【００９１】
ステップＳ１５１２では、カラオケ装置２から、再生順序が最先に設定された楽曲の非歌唱パートの再生時間と、歌唱パートの再生時間とが取得される。
【００９２】
ステップＳ１５１４では、ステップＳ１５１２において取得した楽曲の非歌唱パートの開始時刻と、非歌唱パートの再生時間と、歌唱パートの再生開始時刻とに従って、広告リストから、広告コンテンツが抽出される。詳細には、各非歌唱パートにおいて、表示完了時間の長さが、各非歌唱パートの再生時間以下の広告コンテンツであり、各非歌唱パートの再生時間に最も近い広告コンテンツが、アルファベット順に優先して、広告コンテンツが抽出される。例えば、図３（ｂ）に示す楽曲識別情報「Ｃ３０５４９」の楽曲の再生が予約されているとき、楽曲識別情報「Ｃ３０５４９」の楽曲の非歌唱パートである前奏と、間奏Ａと、間奏Ｂと、後奏とにおいて再生される広告コンテンツとして、図３（ａ）および図６（ｂ）に示すように、再生終了時間が２０秒の前奏には、表示完了時間が２０秒の「広告Ｅ」が、再生終了時間が３０秒の間奏Ａには、表示完了時間が３０秒の「広告Ｂ」が、再生終了時間が２５秒の後奏には、表示完了時間が２０秒の「広告Ｉ」が、抽出される。なお、再生終了時間が１０秒の間奏Ｂには、間奏Ｂの再生終了時間より短い表示完了時間の広告がない。そのため、間奏Ｂには、再生終了時間に最も近い表示完了時間の広告である、表示完了時間が１５秒の「広告Ｃ」が抽出される。
【００９３】
ステップＳ１５１８では、ステップＳ１５１４において抽出された広告コンテンツの再生開始タイミングと停止タイミングとを決定する。ステップＳ１５１８の処理が実行されると、図６（ｂ）に示すように、楽曲識別情報「Ｃ３０５４９」の楽曲の前奏の再生が開始されるとき、「広告Ｅ」の再生が開始されることが決定される。「広告Ｅ」は、前奏の再生が終了するまで再生され、表示完了時間まで２０秒再生された後、停止される。つぎに、楽曲識別情報「Ｃ３０５４９」の楽曲の間奏Ａの再生が開始されるとき、「広告Ｂ」の再生が開始される。「広告Ｂ」は、間奏Ａの再生が終了するまで再生され、表示完了時間まで３０秒再生された後、停止される。つぎに、楽曲識別情報「Ｃ３０５４９」の楽曲の間奏Ｂの再生が開始されるとき、「広告Ｃ」の再生が開始される。「広告Ｃ」は、が再生され、停止タイミングである８秒まで再生されたとき、停止されると決定される。「広告Ｃ」が再生されるとき、停止タイミングから間奏Ｂの再生終了までは残り時間が２秒である。「広告Ｃ」が停止タイミングで停止せずに再生されると、前奏の再生終了時点から、「広告Ｃ」の再生が完了される表示完了時間までは、５秒である。ステップＳ１５１８では、前奏の再生終了時間により近い「広告Ｃ」の停止タイミングで停止されることが決定される。また、楽曲識別情報「Ｃ３０５４９」の楽曲の後奏の再生が開始されるとき、「広告Ｃ」の再生が停止タイミングの８秒から再開され、表示完了時間である１５秒まで、７秒再生される。続けて、「広告Ｉ」が再生されると決定される。「広告Ｉ」が停止タイミングまで再生されるとき、後奏の再生終了までは残り時間が３秒である。「広告Ｉ」が停止タイミングで停止せずに再生されると、後奏の再生終了時点から、「広告Ｉ」の再生が完了される表示完了時間までは、２秒である。ステップＳ１５１８では、後奏の再生終了時間により近い「広告Ｉ」の表示完了時間まで再生されることが決定される。なお、後奏の再生終了時点から、「広告Ｉ」の再生がされている２秒の間に、新たな楽曲の再生が開始されてもよい。
【００９４】
ステップＳ１５２０では、カラオケ装置２から、再生が予約された楽曲の再生が開始されたことを示す通知を受信したか否かが判断される。楽曲の再生が開始された通知を、カラオケ装置２から受信したと判断されたとき（Ｓ１５２０：ＹＥＳ）、ステップＳ１５２２の処理は実行される。ステップＳ１５２０の処理は、楽曲の再生が開始された通知を受信したと判断されるまで、繰り返し実行される。
【００９５】
ステップＳ１５２２では、カラオケ装置２により再生が開始された楽曲の再生時間のカウントが開始される。カラオケ装置２から楽曲の再生が中断されたことが通知されたときは、再生が再開されたことが通知されるまで、楽曲の再生時間のカウントも一時停止される。ステップＳ１５２４では、広告コンテンツの再生が開始される。ステップＳ１５２４では、ステップＳ１５１４〜ステップＳ１５１８の処理における決定に従って、広告コンテンツが順に再生される。
【００９６】
ステップＳ１５２６では、カラオケ装置２から楽曲の再生が中断されたことが通知されたか否かが判断される。カラオケ装置２から楽曲の再生が中断された通知を受信し、楽曲の再生が中断されたと判断されると（Ｓ１５２６：ＹＥＳ）、ステップＳ１５３６の処理が実行される。カラオケ装置２から楽曲の再生が中断された通知を受信せず、楽曲の再生が中断されたと判断されないと（Ｓ１５２６：ＮＯ）、ステップＳ１５２８の処理が実行される。
【００９７】
ステップＳ１５２８では、ステップＳ１５１４〜ステップＳ１５１８の処理における決定に従って、ステップＳ１５２４において順に再生される広告コンテンツの停止タイミングとなったか否かが判断される。具体的には、ステップＳ１５２８では、ステップＳ１５２２においてカウントが開始された楽曲の再生時間と、ステップＳ１５１８において決定された停止タイミングとから、再生される広告コンテンツの停止タイミングとなったか否かが判断される。広告コンテンツの停止タイミングとなったと判断されると（Ｓ１５２６：ＹＥＳ）、ステップＳ１５３０の処理が実行される。広告コンテンツの停止タイミングとなったと判断されないと（Ｓ１５２６：ＮＯ）、ステップＳ１５３２の処理が実行される。ステップＳ１５３０では、広告コンテンツの再生が停止される。
【００９８】
ステップＳ１５３２では、ステップＳ１５１４〜ステップＳ１５１８の処理における決定に従って、ステップＳ１５２４において順に再生される広告コンテンツの再開タイミングとなったか否かが判断される。具体的には、ステップＳ１５３２では、ステップＳ１５２２においてカウントが開始された楽曲の再生時間と、ステップＳ１５１８において決定された再生開始タイミングとから、再生される広告コンテンツの再開タイミングとなったか否かが判断される。広告コンテンツの再開タイミングとなったと判断されると（Ｓ１５３２：ＹＥＳ）、ステップＳ１５３４の処理が実行される。広告コンテンツの再開タイミングとなったと判断されないと（Ｓ１５２６：ＮＯ）、ステップＳ１５３６の処理が実行される。ステップＳ１５３４では、広告コンテンツの再生が再開される。
【００９９】
ステップＳ１５３６では、ステップＳ１５１４〜ステップＳ１５１８の処理により決定された広告コンテンツの再生が終了したか否かが判断される。広告コンテンツの再生が終了したと判断されると（Ｓ１５３６：ＹＥＳ）、ステップＳ１５３８の処理が実行される。広告コンテンツの再生が終了したと判断されないと（Ｓ１５３６：ＮＯ）、ステップＳ１５２６の処理が実行される。
【０１００】
ステップＳ１５３８では、電源をオフにする指示がされたか否かが判断される。電源をオフにする指示がされたと判断されると（Ｓ１５３８：ＹＥＳ）、広告表示サーバ５のメイン処理が終了される。電源をオフにする指示がされたと判断されないと（Ｓ１５３８：ＮＯ）、ステップＳ１５１０の処理が実行される。
【０１０１】
［第２の実施形態の変形例]
第２の実施形態では、広告コンテンツが全て動画で構成された広告コンテンツが選択されている。広告コンテンツが全て動画で構成された広告コンテンツであるとき、取得された各非歌唱パートに対して、表示完了時間が短い広告コンテンツから順に、広告コンテンツが選択され、各非歌唱パートにおいて再生される広告コンテンツと決定される。しかしながら、広告コンテンツには、静止画で構成された広告コンテンツが含まれても良い。例えば、第２の実施形態の広告表示サーバ５において、はじめに、再生が予約された楽曲の複数の非歌唱パートの非歌唱時間が取得されるとき、各非歌唱パートについて、非歌唱時間より短い表示完了時間の動画の広告コンテンツが、再生される広告コンテンツと決定される。このとき、各非歌唱パートにおいて、再生される広告コンテンツの表示完了時間から、各非歌唱パートの再生終了までの残り時間において再生される広告コンテンツとして、表示完了時間が定められた静止画の広告コンテンツや、停止タイミングと、表示完了時間とが定められた静止画の広告コンテンツが決定されてもよい。
【０１０２】
ステップＳ１２１２において、予約リストのうち、再生順序が最先に設定された楽曲の非歌唱パートと、歌唱パートとの楽曲時間情報が、広告表示サーバ５へ送信されていたが、これに限らない。例えば、予約リストに再生が予約された楽曲が複数あるときには、ステップ１２１２において、複数の楽曲の楽曲時間情報の全て、または再生順序が先に設定される所定数の楽曲の楽曲時間情報を、広告表示サーバ５へ送信してもよい。
【０１０３】
また、広告表示サーバ５は、再生が予約された楽曲の楽曲時間情報をカラオケ装置２から取得していたがこれに限らない。例えば、カラオケ装置２からは予約された楽曲を示す識別情報を取得し、広告表示サーバ５が、センターサーバ４から楽曲の識別情報に基づいた楽曲時間情報を取得してもよい。
【０１０４】
また、ステップＳ１５１４の処理において、非歌唱パートの再生時間内に、複数の広告コンテンツを再生可能である場合は、１か所の非歌唱パートにおいて、再生する広告コンテンツを複数抽出してもよい。
【０１０５】
また、広告表示サーバ５は、カラオケ装置２から楽曲の再生が中断された通知と、楽曲の再開された通知とを受信することにより、ステップＳ１５１４〜ステップＳ１５１８の処理を再実行し、広告コンテンツ、および広告コンテンツの再生開始タイミングと停止タイミングとを再決定してもよい。
【０１０６】
［実施形態との対応関係］
本実施形態において、カラオケシステムＳが、本発明の広告再生システムの一例である。本実施形態の広告表示サーバ３が、本発明の広告再生装置の一例である。本実施形態の広告コンテンツが、本発明の広告映像の一例である。本実施形態の広告コンテンツの停止タイミングが、本発明の再生範囲位置の一例であり、表示完了時間が、本発明の再生完了位置の一例である。
【０１０７】
本実施形態の広告リスト記憶領域５３２が、本発明の広告記憶部の一例である。本実施形態の制御部５２が、本発明の広告制御部、受付部、取得部、広告決定部、停止決定部の一例である。本実施形態の制御部５２により実行されるステップＳ５１４と、ステップＳ５２０との処理、または、ステップＳ１５２８と、ステップＳ１５３２との処理が、本発明の受付ステップの一例である。本実施形態の制御部５２により実行されるステップＳ５１８と、ステップＳ５２２との処理、または、ステップＳ１５３０と、ステップＳ１５３４との処理が、本発明の広告制御ステップの一例である。
【符号の説明】
【０１０８】
Ｓ  カラオケシステムＳ
２  カラオケ装置
２１  制御部
２３  記憶部
２３１  予約リスト記憶領域
２３３  楽曲時間情報記憶領域
５  広告表示サーバ
５３  記憶部
５３１  広告コンテンツ記憶領域
５３２  広告リスト記憶領域
５３３  予約リスト記憶領域
５３４  楽曲時間情報記憶領域
【図１】
2014197045.tif 000003
【図２】
2014197045.tif 000004
【図３（ａ）】
2014197045.tif 000005
【図３（ｂ）】
2014197045.tif 000006
【図４】
2014197045.tif 000007
【図５】
2014197045.tif 000008
【図６（ａ）】
2014197045.tif 000009
【図６（ｂ）】
2014197045.tif 000010
【図７】
2014197045.tif 000011
【図８】
2014197045.tif 000012